(57)【要約】【課題】異なる２つの通信機能を前提とする場合において、機器を特定して無線通信を確立するための新たな技術を提供する。【解決手段】赤外線送信部は、ユーザのボタン操作を契機として赤外線にて携帯端末の機器ＩＤを第１表示機器の赤外線受光部に送信する（Ｓ１０４）。機器ＩＤの送信後、無線ＬＡＮ通信部は、探索パケットを発信する（Ｓ１０６）。返信パケット生成部は、特定返信パケットを生成し、有線ＬＡＮ通信部は、その特定返信パケットを応答信号として返信する（Ｓ１１２）。携帯端末の返信パケット解析部は、特定返信パケットに含まれた識別情報を抽出し、抽出した識別情報を接続先アドレスとして認識する（Ｓ１１６）。無線ＬＡＮ通信部は、第１表示機器の識別情報接続先アドレスとし、第１表示機器に表示させるべき画像のデータを送信する（Ｓ１１８）。【選択図】図３
2007259385.tif 000002
【特許請求の範囲】
【請求項１】
第１の無線通信方式により、受信する機器が指定対象機器として特定されるよう当該指定対象機器を指定するための指定信号を送信する第１通信部と、
前記第１の無線通信方式とは別の第２の無線通信方式により、対象機器の識別情報を確認するための要求信号を発信し、その要求信号に対する応答信号を受信する第２通信部と、を備え、
前記第２通信部は、前記指定信号を受信したことを示唆する応答信号を受信したとき、当該応答信号に含まれた識別情報を有する対象機器を接続先として前記第２の無線通信方式による通信を確立することを特徴とする携帯端末。
【請求項２】
前記第１通信部は、前記第１の無線通信方式として、指向性のある近距離無線により一定方向に前記指定信号を送信することを特徴とする請求項１に記載の携帯端末。
【請求項３】
第１の無線通信方式により送信された指定信号を受信する受信部と、
前記第１の無線通信方式とは別の第２の無線通信方式により発信された、識別情報の送信要求を内容とする要求信号を受信し、当該要求信号に対する応答信号を送信する通信部と、を備え、
前記通信部は、前記受信部が前記指定信号を受信したとき、識別情報に加えて、前記指定信号を受信したことを示唆する信号を前記応答信号に含めることにより、前記要求信号の発信元に対して自身が接続対象であることを認識させることを特徴とする通信装置。
【請求項４】
前記受信部は、前記第１の無線通信方式として、指向性のある近距離無線により一定方向に送信された前記指定信号を受信することを特徴とする請求項３に記載の通信装置。
【請求項５】
前記通信部は、前記第２の無線通信方式に対応した中継機器と有線で接続され、当該中継機器を介して前記要求信号を受信し、前記応答信号を送信することを特徴とする請求項３または４に記載の通信装置。
【請求項６】
携帯端末が指定対象機器を接続先とする通信を確立する方法であって、
前記携帯端末が、第１の無線通信方式により、前記指定対象機器に対して当該指定対象機器を指定するための指定信号を送信するステップと、
前記指定対象機器が、前記指定信号を受信するステップと、
前記携帯端末が、前記第１の無線通信方式とは別の第２の無線通信方式により、対象機器の識別情報を確認するための要求信号を発信するステップと、
前記指定対象機器が、前記要求信号を受信するステップと、
前記指定対象機器が、自身の識別情報と、前記指定信号を受信したことを示唆する信号とを含む応答信号を送信するステップと、
前記携帯端末が、前記応答信号を受信するステップと、
前記携帯端末が、前記応答信号に含まれた識別情報を有する対象機器を接続先として前記第２の無線通信方式による通信を確立するステップと、
を含むことを特徴とする通信確立方法。
【発明の詳細な説明】
【技術分野】
【０００１】
本発明は、ネットワーク内に存在する特定の機器を接続先として通信を確立する技術に関する。
【背景技術】
【０００２】
近年、無線ＬＡＮ（Local Area Network）やＢｌｕｅｔｏｏｔｈ（商標）などの普及により、携帯電話やデジタルカメラなどの携帯用電子機器にも無線接続が可能なものが増えてきている。無線機器が無線通信の接続先を特定するためには、接続先の機器のＩＰ（Internet Protocol）アドレスなどの識別情報が必要である。
【特許文献１】特開２００４−１５５５８号公報
【特許文献２】特開２００４−１５６５４号公報
【発明の開示】
【発明が解決しようとする課題】
【０００３】
ＩＰアドレスなどの識別情報は、機器の設置位置とは無関係に割り当てられる。このため、接続先の機器が近傍に存在しても、その機器を特定して通信を確立することは有線ケーブルでの接続と違って容易でない。上記特許文献の通信システムは、通信機器における無線通信の距離を短くすることで接続対象を選択するようにしている。しかしながら、通信距離を短くしてもその通信エリア内に接続すべき対象の機器だけが存在する状況になるとは限らず、接続の対象を特定する技術としては改善の余地がある。
【０００４】
本発明はこうした状況を認識してなされたものであり、その目的は、より確実な方法で目前の機器を通信対象として特定し無線通信を確立するための新たな技術を提供することにある。
【課題を解決するための手段】
【０００５】
上記課題を解決するために、本発明のある態様の携帯端末は、第１の無線通信方式により、受信する機器が指定対象機器として特定されるよう当該指定対象機器を指定するための指定信号を送信する第１通信部と、第１の無線通信方式とは別の第２の無線通信方式により、対象機器の識別情報を確認するための要求信号を発信し、その要求信号に対する応答信号を受信する第２通信部と、を備える。第２通信部は、指定信号を受信したことを示唆する応答信号を受信したとき、当該応答信号に含まれた識別情報を有する対象機器を接続先として第２の無線通信方式による通信を確立する。
【０００６】
この態様によると、携帯端末は、簡単に接続対象機器を指定可能な指定信号を第１通信部から予め送信しておくので、第２通信部は、指定信号を受信したことを示唆する応答信号を、高い確率で指定対象機器から受信できる。これにより、第２通信部は、受信した応答信号をもとに指定対象機器をより確実に特定して通信を確立できる。
【０００７】
第１通信部は、第１の無線通信方式として、指向性のある近距離無線により一定方向に指定信号を送信してもよい。
この場合、第１の無線通信に指向性を有する方式を利用することで、指定対象機器をより確実に特定して指定信号を送信することができるので、指定対象機器の特定において確実性が高められる。
【０００８】
本発明の別の態様は、通信装置である。この装置は、第１の無線通信方式により送信された指定信号を受信する受信部と、第１の無線通信方式とは別の第２の無線通信方式により発信された、識別情報の送信要求を内容とする要求信号を受信し、当該要求信号に対する応答信号を送信する通信部と、を備える。通信部は、受信部が指定信号を受信したとき、識別情報に加えて、指定信号を受信したことを示唆する信号を応答信号に含めることにより、要求信号の発信元に対して自身が接続対象であることを認識させる。
【０００９】
この態様によると、通信部は、受信部が指定信号を受信したか否かに応じて応答信号を変化させるので、要求信号の発信元に対し、自身が接続対象であることを容易に認識させることができ、より確実に要求信号の発信元との間で通信を確立することができる。
【００１０】
受信部は、第１の無線通信方式として、指向性のある近距離無線により一定方向に送信された指定信号を受信してもよい。
この場合、第１の無線通信方式の指向性により、接続対象でない限りは無用に指定信号を受信する可能性が減少する一方で、接続対象とされる場合にはより確実に指定信号を受信でき、より確実に要求信号の発信元との間で通信を確立することができる。
【００１１】
通信部は、第２の無線通信方式に対応した中継機器と有線で接続され、中継機器を介して要求信号を受信し、応答信号を送信してもよい。
このように中継機器を介する場合、通信装置は第２の無線通信方式による通信の機能を有する必要がなく、通信装置の構成を簡単化できる。
【００１２】
本発明のさらに別の態様は、通信確立方法である。この方法は、携帯端末が指定対象機器を接続先とする通信を確立する方法であって、携帯端末が、第１の無線通信方式により、指定対象機器に対して当該指定対象機器を指定するための指定信号を送信するステップと、指定対象機器が、指定信号を受信するステップと、携帯端末が、第１の無線通信方式とは別の第２の無線通信方式により、対象機器の識別情報を確認するための要求信号を発信するステップと、指定対象機器が、要求信号を受信するステップと、指定対象機器が、自身の識別情報と、指定信号を受信したことを示唆する信号とを含む応答信号を送信するステップと、携帯端末が、応答信号を受信するステップと、携帯端末が、応答信号に含まれた識別情報を有する対象機器を接続先として第２の無線通信方式による通信を確立するステップと、を含む。
【００１３】
この態様によると、携帯端末は、第２の無線通信方式による要求信号の発信に先立って第１の無線通信方式により指定対象機器に対して当該指定対象機器を指定するための指定信号を送信し、指定信号を受信した指定対象機器から指定信号を受信したことを示唆する応答信号を受信する。したがって、その応答信号に含まれた識別情報をもとに指定対象機器を容易に特定できる。
【００１４】
なお、以上の構成要素の任意の組合せ、本発明の表現を、方法、装置、システムなどの間で変換したものもまた、本発明の態様として有効である。
【発明の効果】
【００１５】
本発明によれば、より確実な方法で目前の機器を特定して無線通信を確立するための新たな技術を提供することができる。
【発明を実施するための最良の形態】
【００１６】
実施の形態は、携帯電話やデジタルカメラなどの携帯端末から無線ＬＡＮを介して送信した画像データを特定の表示機器にて再生・表示する通信システムに関する。
【００１７】
図１は、実施の形態にかかる通信システム２００の構成を概念的に示す。
通信システム２００は、第１表示機器１２と、第２表示機器１４と、第３表示機器１８と、ノートパソコン２２と、プリンタ２４と、無線ＬＡＮアクセスポイント９８と、携帯端末１００とを備える。
【００１８】
第１表示機器１２、第２表示機器１４、第３表示機器１８、ノートパソコン２２およびプリンタ２４（以下、必要に応じてこれらの機器を「スレーブ端末」という。）のそれぞれは、赤外線受光部を有し、Ｅｔｈｅｒｎｅｔ（登録商標）規格に対応するＬＡＮケーブル３２により無線ＬＡＮアクセスポイント９８と接続される。無線ＬＡＮアクセスポイント９８は、無線ＬＡＮ端末間を接続するとともに有線ＬＡＮにも接続する中継機器である。携帯端末１００は、たとえば、携帯電話やデジタルカメラなどであり、赤外線により信号を送信する機能を有するとともに、無線ＬＡＮ機能を内蔵する。
【００１９】
携帯端末１００が赤外線により送信する信号は、スレーブ端末の赤外線受光部にて受信される。携帯端末１００が無線ＬＡＮの規格に対応した通信方式（以下、「無線ＬＡＮ方式」という。）により発信する信号は、無線ＬＡＮアクセスポイント９８およびＬＡＮケーブル３２を介してスレーブ端末で受信される。すなわち、無線ＬＡＮアクセスポイント９８は、携帯端末１００が無線ＬＡＮ方式で発信した信号を受信し、ＬＡＮケーブル３２を経由してスレーブ端末に送信する。
【００２０】
本実施の形態では、携帯端末１００が記憶している画像データを第１表示機器１２に表示させる。画像データは、無線ＬＡＮ、無線ＬＡＮアクセスポイント９８およびＬＡＮケーブル３２を経由して携帯端末１００から第１表示機器１２に送信される。このとき、携帯端末１００は、スレーブ端末の中から第１表示機器１２を特定するために、第１表示機器１２のＩＰアドレスなどの識別情報を指定する必要がある。すなわち、携帯端末１００は、画像データの送信時に第１表示機器１２のＩＰアドレスを保持している必要がある。
【００２１】
ＩＰアドレスは、機器の設置場所とは無関係に割り当てられる為、第１表示機器１２が携帯端末１００のすぐ近くに存在する場合であっても、携帯端末１００が第１表示機器１２のＩＰアドレスを取得することは容易でない。そこで、本実施の形態の通信システム２００では、携帯端末１００からの画像データの送信に先立って、以下のＩＰアドレス取得手続きが踏まれる。
【００２２】
すなわち、携帯端末１００は、自身の機器ＩＤを含む指定信号を赤外線通信にて第１表示機器１２に送信する。ここで、赤外線通信は指向性が大きいので、第１表示機器１２を特定して指定信号を送信することは容易である。携帯端末１００は、機器ＩＤの送信後、無線ＬＡＮ方式により、探索パケットを発信する。探索パケットは、指定信号にて送信した機器ＩＤを含み、探索パケットを受信した機器の識別情報の送信要求を内容とする要求信号である。探索パケットは、無線ＬＡＮ、無線ＬＡＮアクセスポイント９８およびＬＡＮケーブル３２を経由してスレーブ端末にて受信される。スレーブ端末は、探索パケットに対し、識別情報を含む返信パケットを応答信号として携帯端末１００に送信する。このとき、指定信号を受信した第１表示機器１２だけは、指定信号を受信したことを示唆する内容をさらに含む返信パケット（以下、「特定返信パケット」という。また、特定返信パケット以外の返信パケットを必要に応じて「通常返信パケット」という。）を送信する。第１表示機器１２は、指定信号を受信したことを示唆する内容として、赤外線通信により送信された携帯端末１００の機器ＩＤを含めてもよいし、返信パケットの中にフラグを立ててもよい。携帯端末１００は、ＬＡＮケーブル３２、無線ＬＡＮアクセスポイント９８および無線ＬＡＮを経由して送信された返信パケットを受信する。携帯端末１００は、特定応答信号に含まれる識別情報をもとに画像データの送信先を特定する。
【００２３】
以上のＩＰアドレス取得手続きによれば、赤外線通信の指向性が強いこと、すなわち、赤外線通信ではユーザがその指向性の方向を接続すべき対象の機器に向けることにより物理的に通信先を特定できることを利用して、容易に接続すべき指定対象機器を特定して指定信号を送信することができる。また、テレビなどの表示機器の大半は赤外線受光部を標準で装備しているから、スレーブ端末側に要求されるハードウェア的な構成の変更が抑えられる。
【００２４】
図２は、図１に示される携帯端末１００および第１表示機器１２の構成を示す。図２において、様々な処理を行う機能ブロックとして記載される各要素は、ハードウェア的には、ＣＰＵ、メモリ、その他のＬＳＩで構成することができ、ソフトウェア的には、メモリにロードされた録画予約管理機能、たとえばビデオ、ＨＤＤ (Hard Disc Drive) 、ＤＶＤ (Digital Versatile Disc) の予約機能を有するプログラムなどによって実現される。したがって、これらの機能ブロックがハードウェアのみ、ソフトウェアのみ、またはそれらの組合せによっていろいろな形で実現できることは当業者には理解されるところであり、いずれかに限定されるものではない。
【００２５】
携帯端末１００は、入力部１０２と、記憶部１０４と、無線ＬＡＮ通信部１０６と、撮影部１０８と、赤外線送信部１１２と、探索パケット生成部１１４と、返信パケット解析部１１６と、表示部１１７と、制御部１１８とを備える。
【００２６】
入力部１０２は、ユーザによるボタン操作などの入力を受け付ける。記憶部１０４は、画像データや携帯端末１００の機器ＩＤなどを記憶する。無線ＬＡＮ通信部１０６は、無線ＬＡＮ方式により探索パケットを発信し、返信パケットを受信する。また、無線ＬＡＮ通信部１０６は、接続すべき対象の機器である第１表示機器１２の識別情報が特定された後、第１表示機器１２に画像データを送信する。
【００２７】
撮影部１０８は、画像を撮影する機能を有する。赤外線送信部１１２は、接続すべき対象の機器である第１表示機器１２の赤外線受光部に赤外線を発光し、携帯端末１００の機器ＩＤを送信する。探索パケット生成部１１４は、無線ＬＡＮ通信部１０６から発信すべき探索パケットを生成する。返信パケット解析部１１６は、探索パケットに対する応答信号としてスレーブ端末から送信された返信パケットを解析する。すなわち、特定返信パケットを受信したときは、そのパケットに含まれる識別情報を抽出する。一方、特定返信パケットを受信しなかったときは、受信した返信パケットに含まれる識別情報からアドレスリストを生成し、ユーザにリストの中から接続すべき機器のアドレスを指定するよう促す。表示部１１７は、ユーザに必要な情報を表示する。制御部１１８は、携帯端末１００の各構成要素の動作を包括的に制御する。
【００２８】
第１表示機器１２は、有線ＬＡＮ通信部１５２と、表示部１５４と、探索パケット解析部１５６と、返信パケット生成部１５８と、記憶部１６２と、赤外線受光部１６４と、制御部１６６とを備える。なお、図１に示される第２表示機器１４、第３表示機器１８、ノートパソコン２２およびプリンタ２４も同様に構成される。
【００２９】
有線ＬＡＮ通信部１５２は、無線ＬＡＮアクセスポイント９８が携帯端末１００の無線ＬＡＮ通信部１０６から受信した探索パケットあるいは画像データをＬＡＮケーブル３２を経由して受信する。また、有線ＬＡＮ通信部１５２は、探索パケットに対し、第１表示機器１２の識別情報を含む返信パケットを送信する。このとき、有線ＬＡＮ通信部１５２は、探索パケットの受信に先立って赤外線受光部１６４が携帯端末１００から指定信号を受信したことが確認された場合、特定返信パケットを送信する。
【００３０】
表示部１５４は、携帯端末１００から送信された画像データを再生して表示する。探索パケット解析部１５６は、携帯端末１００から受信した探索パケットを解析する。すなわち、探索パケットに含まれた機器ＩＤを抽出し、その機器ＩＤが赤外線受光部１６４にて受信した機器ＩＤと一致するかどうかを確認する。返信パケット生成部１５８は、探索パケット解析部１５６における解析にもとづき、返信パケットを生成する。すなわち、探索パケットに含まれた機器ＩＤが赤外線受光部１６４にて受信した機器ＩＤと一致する場合は、特定返信パケットを生成し、一致しない場合は、通常返信パケットを生成する。記憶部１６２は、携帯端末１００から送信された機器ＩＤや画像データ、第１表示機器１２の識別情報を記憶する。赤外線受光部１６４は、携帯端末１００の赤外線送信部１１２から赤外線により送信された指定信号を受信する。制御部１６６は、第１表示機器１２の各構成要素の動作を包括的に制御する。
【００３１】
図３は、図２に示される携帯端末１００が接続すべき指定対象機器としての第１表示機器１２に画像を表示させる際の通信のシーケンスを示す。
携帯端末１００のユーザは、赤外線送信部１１２からの赤外線の発光方向を第１表示機器１２が存在する方向に定めて、ボタン操作をする（Ｓ１０２）。赤外線送信部１１２は、ユーザのボタン操作を契機として赤外線にて携帯端末１００の機器ＩＤを第１表示機器１２の赤外線受光部１６４に送信する（Ｓ１０４）。機器ＩＤの送信後、無線ＬＡＮ通信部１０６は、探索パケットを発信する（Ｓ１０６）。
【００３２】
第１表示機器１２の探索パケット解析部１５６は、携帯端末１００から送信された探索パケットを解析する（Ｓ１０８）。ここでは、携帯端末１００から指定信号として予め機器ＩＤが送信されている、すなわち、指定信号に含まれる機器ＩＤと探索パケットに含まれる機器ＩＤとが一致する。したがって、返信パケット生成部１５８は、特定返信パケットを生成し、有線ＬＡＮ通信部１５２は、その特定返信パケットを応答信号として返信する（Ｓ１１２）。
【００３３】
携帯端末１００の返信パケット解析部１１６は、第１表示機器１２から応答信号として受信した特定返信パケットを解析する（Ｓ１１４）。ここでは、第１表示機器１２から特定返信パケットを受信しているので、特定返信パケットに含まれた識別情報を抽出し、抽出した識別情報を接続先アドレスとして認識する（Ｓ１１６）。すなわち、第１表示機器１２が接続先として認識される。無線ＬＡＮ通信部１０６は、第１表示機器１２の識別情報を接続先アドレスとし、第１表示機器１２に表示させるべき画像のデータを送信する（Ｓ１１８）。なお、画像データの送信に先だって、第１表示機器１２に表示させるべき画像をユーザに選択させてもよい。
【００３４】
第１表示機器１２の第１表示機器１２は、携帯端末１００から送信された画像データを再生し、画像を表示する（Ｓ１２２）。
【００３５】
図４は、図２に示される携帯端末１００がスレーブ端末に対してアプリケーションを実行する処理の流れを示すフローチャートである。ここではスレーブ端末として第１表示機器１２を特定する場合を説明する。
赤外線送信部１１２は、ユーザのボタン操作を契機として赤外線により携帯端末１００の機器ＩＤを第１表示機器１２に送信する（Ｓ１５２）。その後、無線ＬＡＮ通信部１０６は、探索パケットを発信し（Ｓ１５４）、返信パケットを受信するまでそれを繰り返す（Ｓ１５６：Ｎｏ）。
【００３６】
無線ＬＡＮ通信部１０６において返信パケットが受信されると（Ｓ１５６：Ｙｅｓ）、返信パケット解析部１１６は、受信した返信パケットを解析する（Ｓ１５８）。受信した返信パケットの中に特定返信パケットがある場合（Ｓ１６２：Ｙｅｓ）、返信パケット解析部１１６は、特定返信パケットに含まれる識別情報を抽出し、記憶部１０４に記憶する（Ｓ１６４）。これは、赤外線で予め機器ＩＤを送信した第１表示機器１２から探索パケットに対する返信パケットが返ってきた場合に相当する。
【００３７】
一方、特定返信パケットがない場合（Ｓ１６２：Ｎｏ）、返信パケット解析部１１６は、受信した返信パケットから識別情報を抽出してアドレスリストを生成する（Ｓ１６６）。これは、赤外線で予め機器ＩＤを送信した第１表示機器１２から探索パケットに対する返信パケットが返ってこなかった場合に相当する。この場合、別の機器、たとえば第２表示機器１４および第３表示機器１８からの返信パケットから識別情報が抽出され、その別の機器の識別情報を列挙したアドレスリストが生成される。アドレスリストは、表示部１１７に表示される。ユーザは、ボタン操作などにより、アドレスリストの中から接続先とすべきアドレスを選択する（Ｓ１６８）。もっとも、ユーザはアドレスリストを見ても、どのアドレスがどの機器に対応するかを知らなければ、所望の機器を選択することができない。ここでアドレスリストの替わりに、各機器に対して事前に設定されている機器名称リストを表示しても同様である。
【００３８】
無線ＬＡＮ通信部１０６は、特定返信パケットに含まれる識別情報あるいはユーザがアドレスリストの中から選択したアドレスを接続先アドレスとして設定し（Ｓ１７２）、接続先の機器に対してアプリケーションを実行する（Ｓ１７４）。すなわち、接続先の機器が表示機器であれば携帯端末１００が記憶している画像データをその表示機器に再生・表示させる。接続先の機器がプリンタであれば、携帯端末１００が記憶している画像データをそのプリンタに印字させるなどする。ユーザのボタン操作などによりアプリケーションの実行が終了されると（Ｓ１７６）、記憶部１０４は、接続先として記憶した識別情報をクリアする（Ｓ１７８）。
【００３９】
図５は、図２に示される第１表示機器１２が携帯端末１００からのアプリケーションの実行を受け付ける処理の流れを示すフローチャートである。
返信パケット生成部１５８は、赤外線受光部１６４が赤外線入力を受信すると（Ｓ２０２：Ｙｅｓ）、その赤外線入力に含まれる機器ＩＤを返信パケットに含めるための準備をする（Ｓ２０４）。赤外線受光部１６４への赤外線入力がない場合（Ｓ２０２：Ｎｏ）、上記の準備はされない。
【００４０】
第１表示機器１２は、携帯端末１００からの探索パケットを受信するまで探索パケット待ち受け状態を継続する（Ｓ２０６、Ｓ２０８：Ｎｏ）。有線ＬＡＮ通信部１５２が探索パケットを受信すると（Ｓ２０８：Ｙｅｓ）、返信パケット生成部１５８は、探索パケットに対する返信パケットを生成し、有線ＬＡＮ通信部１５２は、生成された返信パケットを送信する（Ｓ２１２）。返信パケット生成部１５８が生成する返信パケットは、探索パケットに含まれる機器ＩＤが、探索パケットの受信前に赤外線受光部１６４において受信した指定信号に含まれた機器ＩＤと一致するか否かにより異なる。すなわち、一致する場合は、返信パケット生成部１５８は、特定返信パケットを生成する。一致しない場合は、通常返信パケットを生成する。
【００４１】
第１表示機器１２は、返信パケットの送信後、携帯端末１００からのアプリケーションの実行を待ち受ける（Ｓ２１４）。第１表示機器１２は、携帯端末１００から画像データを受信すると（Ｓ２１６）、その画像データを必要に応じて記憶部１６２に記憶し、表示部１５４に表示する（Ｓ２１８）。これらの処理は、携帯端末１００からアプリケーションの実行を終了する旨を示す終了パケットを受信するまで続けられる（Ｓ２２２：Ｎｏ）。第１表示機器１２は、携帯端末１００から終了パケットを受信すると（Ｓ２２２：Ｙｅｓ）、一連の処理を終了する。
【００４２】
本実施の形態によれば、携帯端末１００は、赤外線通信により指定信号を接続すべき指定対象機器である第１表示機器１２に送信し、第１表示機器１２が特定返信パケットを生成・送信するきっかけを与えた上で探索パケットを発信する。ここで、赤外線通信は指向性が大きいので、ユーザが指定信号を第１表示機器１２に向けて送信した場合、指定信号が第１表示機器１２以外の機器に受信される可能性は低い。すなわち、指定信号が誤った送信先に受信される可能性が低いので、特定返信パケットを送信してくるスレーブ端末は、接続すべき指定対象機器である可能性が高い。したがって、探索パケットに対する返信パケットを解析することで第１表示機器１２を正確に特定できる。
【００４３】
また、テレビなどの表示機器は赤外線受光部を標準で備えているから、通信システム２００を導入するにあたって表示機器に必要とされるハードウェア的な構成変更が少なくて済む。したがって、通信システム２００が導入容易であるとともに、導入コストも抑えられる。さらに、通信システム２００はスレーブ端末が無線を搭載するか否かにかかわらず導入できるので、これによっても通信システム２００が導入容易となるとともに、導入コストも抑えられる。また、スレーブ端末側に無線機能を要求する場合と比較して適用範囲が広い。
【００４４】
また、通信システム２００は、ＵＰｎＰ（Universal Plug and Play）の規格により機器間が有線ＬＡＮで接続されるようになる場合も視野に入れており、ＵＰｎＰの規格の普及に合わせて通信システム２００の導入が進むことが期待される。
【００４５】
上記実施の形態は例示であり、それらの各構成要素や各処理プロセスの組合せにいろいろな変形が可能なこと、またそうした変形例も本発明の範囲にあることは当業者に理解されるところである。以下に変形例を示す。
【００４６】
実施の形態では、携帯端末１００が備える２つの無線通信の方式が赤外線通信による通信方式および無線ＬＡＮ方式である場合を説明したが、無線通信の方式はこれに限定されない。赤外線通信は、たとえば、可視光通信などにより代替できる。要するに、指向性の大きさなどにより複数の機器の中から１つの機器を物理的に特定して信号を送信可能な通信方式であればよい。アンテナに指向性を持たせた電波による無線通信でも構わない。無線ＬＡＮ方式は、たとえば、ＵＷＢ（Ultra Wide Band）、Ｂｌｕｅｔｏｏｔｈ（商標）、Ｚｉｇｂｅｅ（商標）あるいは特定省電力無線などにより代替できる。
【００４７】
携帯端末１００から赤外線により送信される指定信号に含まれる機器ＩＤは、携帯端末１００のＩＰアドレスあるいは携帯端末１００が内蔵する無線ＬＡＮカードのＭＡＣ（Media ACCESS  Control）アドレスであってもよいし、任意の乱数であってもよい。要するに、指定信号は、スレーブ端末が特定返信パケットを生成するきっかけを与える、あるいはスレーブ端末が特定返信パケットを生成するトリガーとなればよく、その内容は特に限定されない。
【００４８】
実施の形態では、スレーブ端末は、無線ＬＡＮアクセスポイント９８とＬＡＮケーブル３２により接続され、無線ＬＡＮアクセスポイント９８を介して携帯端末１００との間で通信したが、これに限定されない。スレーブ端末は、無線機能を有し、中継機器を介さずに直接携帯端末１００との間で通信してもよい。
【００４９】
実施の形態では、探索パケットは、受信した機器の識別情報の送信要求を内容としてブロードキャストされる場合を説明したが、これには限定されない。探索パケットは、たとえば「表示機器」のように機器の種別を限定して、その限定された種別の機器に識別情報の送信を要求することを内容としてマルチキャストされてもよい。この場合ＵＰｎＰの仕様に対応できる。
【図面の簡単な説明】
【００５０】
【図１】実施の形態にかかる通信システムの構成を概念的に示す図である。
【図２】図１に示される携帯端末および第１表示機器の構成を示す機能ブロック図である。
【図３】図２に示される携帯端末が接続すべき指定対象機器としての第１表示機器に画像を表示させる際の通信のシーケンスを示す図である。
【図４】図２に示される携帯端末がスレーブ端末に対してアプリケーションを実行する処理の流れを示すフローチャートである。
【図５】図２に示される第１表示機器が携帯端末からのアプリケーションの実行を受け付ける処理の流れを示すフローチャートである。
【符号の説明】
【００５１】
１２  第１表示機器、  ３２  ＬＡＮケーブル、  ９８  無線ＬＡＮアクセスポイント、  １００  携帯端末、  １０６  無線ＬＡＮ通信部、  １１２  赤外線送信部、  １５２  有線ＬＡＮ通信部、  １６４  赤外線受光部、  ２００  通信システム。
【図１】
2007259385.tif 000003
【図２】
2007259385.tif 000004
【図３】
2007259385.tif 000005
【図４】
2007259385.tif 000006
【図５】
2007259385.tif 000007